(57)【要約】【課題】対面型の座付テーブルをベンチに変換できるベンチ変換テーブルを提供する。【解決手段】各々同一高さの前後座板２１，３１を備えて、安定に接地する前後座部２，３を、天板部１の前後に配置すると共に、各々の座部２，３を適宜な長さの前後連結脚部４，５で天板部下面に連結してなる対面型のテーブルであって、前方連結脚部４は天板部１と枢結（枢結軸４３）し、後方連結脚部５は天板部１が後方座部３の後方へ回動可能な位置で枢結（枢結軸５２）してなる。【選択図】図１
0003202765.tif 000002
【実用新案登録請求の範囲】
【請求項１】
各々同一高さの座板を備えて、安定に接地する前後座部を、天板部の前後に配置すると共に、各々の座部を適宜な長さの連結脚部で天板部下面に連結してなる対面型のテーブルであって、前方連結脚部は天板部と枢結し、後方連結脚部は天板部が後方座部の後方へ回動可能な位置で枢結してなることを特徴とするベンチ変換テーブル。
【請求項２】
天板部の起立状態を維持するストッパー部を、適宜箇所に設けてなる請求項１記載のベンチ変換テーブル。
【請求項３】
前後連結脚部を座部左右側面に設けてなる請求項１又は２記載のベンチ変換テーブル。
【請求項４】
天板起立時に座板が前後当接して一枚の板状となるように、連結脚部の長さ及び天板部との連結角度を設定してなる請求項１乃至３記載の何れかのベンチ変換テーブル。
【請求項５】
天板起立時に、天板が後方に傾斜するように設定してなる請求項４記載のベンチ変換テーブル。
【請求項６】
後方座部の背面下端にキャスターを設けてなる請求項２乃至５記載の何れかのベンチ変換テーブル。
【考案の詳細な説明】
【技術分野】
【０００１】
本考案は、座付テーブルからベンチに変換可能な構造としたベンチ変換テーブルに関するものである。
【背景技術】
【０００２】
座板を備えた座部と天板部で構成されテーブルにおいて、天板部を起立させて背もたれとするベンチ変換テーブルが知られている。その構造は特許文献１（特表２０１３−５０４３７８号公報）に示されているように、ベースフレーム（基台）上にｈ状の直立フレームを設け、高い方の頂部に天板部を枢結し、低い方に座部を固定して設け、天板部をリンク機構の脚部を付設し、天板と座板を水平状態で固定して座付テーブルとして使用し、ベンチとして使用する際には、リンク機構の脚部を折り畳み、天板部を起立状態とするものである。
【先行技術文献】
【特許文献】
【０００３】
【特許文献１】特表２０１３−５０４３７８号公報。
【考案の概要】
【考案が解決しようとする課題】
【０００４】
前記した公知のベンチ変換テーブルは、座部対面構造ではなく、対面テーブルを採用する場合には２部材の組み合わせとする必要がある。また天板部を起立して背もたれとする場合、テーブルとして使用されて汚れる面である天板部の表面側が背に当たる面となり、衛生的であるとは言えない。
【０００５】
そこで本考案は、対面型の座付テーブルをベンチに変換できる新規なベンチ変換テーブルを提案したものである。
【課題を解決するための手段】
【０００６】
本考案の請求項１記載に係るベンチ変換テーブルは、各々同一高さの座板を備えて、安定に接地する前後座部を、天板部の前後に配置すると共に、各々の座部を適宜な長さの連結脚部で天板部下面に連結してなる対面型のテーブルであって、前方連結脚部は天板部と枢結し、後方連結脚部は天板部が後方座部の後方へ回動可能な位置で枢結してなることを特徴とするものである。
【０００７】
而して座部を天板部の前後に配置しているので、対面型の座付テーブルとして使用される。前記の座付テーブルとして使用している状態から天板部の前方縁を持ち上げると、天板部は後方支持脚部との枢結箇所を軸として回動して起立状態に移行し、同時に後方支持脚部が天板部との枢結箇所を軸として回動して前方座部が後方に平行移動する。天板部が起立状態に至り安定すると（天板部の後方縁が接地する、前後座板が当接する等の各部の構造が天板部の回動を阻止するストッパー機能を備える）、ベンチとして使用できる状態になる。
【０００８】
また本考案の請求項２記載に係るベンチ変換テーブルは、天板部の起立状態を維持するストッパー部を適宜箇所に設けてなるもので、ストッパー部としては、天板部と後方座部との間、後方座部と前方座部の間の適宜箇所に設ける。ストッパー部によって、天板部の後方縁を接地させずに汚すことなく起立状態で安定させることができる。
【０００９】
また本考案の請求項３記載に係るベンチ変換テーブルは、前後連結脚部を座部左右側面に設けてなるもので、両側端が肘掛風となったベンチに変換される。
【００１０】
また本考案の請求項４記載に係るベンチ変換テーブルは、天板起立時に座板が前後当接して一枚の板状となるように、連結脚部の長さ及び天板部との連結角度を設定してなるもので、ベンチ変換後の座板に隙間が無く一枚の板状となる。
【００１１】
また本考案の請求項５記載に係るベンチ変換テーブルは、天板起立時に天板が後方に傾斜するように設定してなるもので、斜めの背もたれを備えるベンチに変換される。
【００１２】
更に本考案の請求項６記載に係るベンチ変換テーブルは、後方座部の背面下端にキャスターを設けてなるもので、テーブル使用時やベンチ使用時は安定に接地し、ベンチ使用時に、全体を後方に傾斜させるとキャスターが接地して移動を容易にする。
【考案の効果】
【００１３】
本考案の構成は上記のとおりで、対面型の座付テーブルをベンチに変換でき、ベンチに変換した際には、汚れや傷が残り易い天板表面が背もたれの裏面になるものである。
【図面の簡単な説明】
【００１４】
【図１】本考案の実施形態を示す全体図（テーブル）。
【図２】同要部図。
【図３】同ベンチ変換途中状態を示す説明図。
【図４】同ベンチの全体図（前方斜視図）。
【図５】同図（後方斜視図）。
【図６】同ベンチの移動時の説明図。
【考案を実施するための形態】
【００１５】
次に本考案の実施形態について説明する。実施形態に示した座付テーブルは、天板部１と、前後座部２，３と、前後座部２，３と天板部１の下面とを連結する前後連結脚部４，５で形成される。
【００１６】
天板部１は、適宜大きさの天板１１と、天板１１の下面の左右端縁近傍（後述する連結脚部４，５の厚さ分だけ縁より内側）に、前後方向へ設けた梁板１２と構成される。
【００１７】
前後座部２，３は、前後同一高さの前後座板２１，３１と前後座脚部２２，３２で構成され、前方座脚部２２は、前方連結脚部４の延長上の前方脚板２２１と、前記前方脚板２２１の上端から更に前方に突設した座台板２２２と、座台板２２２を支持する支え板２２３で座脚部２２を形成し、座台板２２２の上面に前方座板２１を載置装着しているものである。
【００１８】
後方座脚部３２は、全体を台形状に組み合わせて形成されたもので、前後脚板３２１，３２２の上方を前後脚板３２１，３２２と同一面となるように座台板３２３で連結し、下方は前後脚板３２１，３２２の左右外方の位置で、横板３２４をもって連結し、前記座台板３２３の上面に後方座板３１を載置装着しているものである。
【００１９】
また左右の後脚板３２２の後方面（外側面）にキャスター３２５を設けたもので、キャスター３２５のうち一方を自在キャスターとしてなるものである。更に横板３２４の適宜箇所（ベンチ変換時における脚板２２１と対応する位置）にストッパー部３２６を突設してなる。
【００２０】
尚前後座部２，３の各構成板及び天板部１の梁板１２は、同一厚さの木板を使用してなるものである。
【００２１】
前方連結脚部４は、短連結板４１と、斜交脚板４２からなる鉤状で、短連結板４１は、梁板１２の前方側面に沿わせて先端（天板中央側）を枢結軸４３で枢結してなり、斜交脚板４２は梁板１２に添った状態の短連結板４１と端部から前方斜めに斜交し前方座部２に連結したもので、特にその延長上に前方脚板２２１が連なるようにしたものである。即ち斜交脚板４２と前方脚板２２１が一枚の木板で形成するものである。
【００２２】
後方連結脚部５は、梁板１２の後方位置で梁板１２と同一面で垂下したもので、下端を後方座部３の座台板３２３の前方側外面に沿わせ、先端を枢結軸５２で枢結したものである。
【００２３】
而して前記のベンチ変換テーブルは、図１に示すように天板部１の前後に前方座部２と後方座部３が配置されると共に、各々前方連結脚部４と後方連結脚部５と連結され、対面型の座付テーブルとして使用される。
【００２４】
前記対面型テーブルからベンチに変換するには、図３に示すように座付テーブルとして使用している状態から天板部１の前方縁を持ち上げ、枢結軸５２を中心に回動させると、後方連結脚部５が回動腕となって天板部１を後方座部３の後方に移動させる。
【００２５】
前記の天板部１の回動に伴って枢結軸４３を中心に前方連結脚部４と前方座部２とが一体に天板部１と相対的に回動し、前方座部２が後方に平行移動する。
【００２６】
天板部１の回動動作は、梁板１２の後端部分が座台板３２３の上面に衝突し、同時に前方脚板２２１の後端面がストッパー部３２６に衝突し、更に同時に前方座脚板２２の後縁と後方座板３１の前面と衝突して停止する。前記の衝突の全てストッパー機能を果たすものであり、本実施例のように同時衝突するように設計しておいても良いし、或いは一つのストッパー機能が働くようにしても良い。
【００２７】
天板部１の回動動作が停止すると、図４，５に示す通り天板部１は天板１１が、後方座板３１の後方に傾斜して起立状態で安定し、前後座板２１，３１が一枚板の様になり、左右に前方連結脚部４が天板１１と座板２１，３１の筋交様（肘掛）に形成されて、ベンチに変換されるものである。
【００２８】
更にベンチに変換された後に設置位置を変更する場合には、図６で示すように全体を後方に傾斜させるとキャスター３２５を接地させて移動させれば良いもので、その移動は容易である。
【符号の説明】
【００２９】
１      天板部
１１    天板
１２    梁板
２      前方座部
２１    前方座板
２２    前方座脚部
２２１    前方脚板
２２２    座台板
２２３    支え板
３      後方座部
３１    後方座板
３２    後方座脚部
３２１    前脚板
３２２    後脚板
３２３    座台板
３２４    横板
３２５    キャスター
３２６    ストッパー部
４      前方連結脚部
４１    短連結板
４２    斜交脚板
４３    枢結軸
５      後方連結脚部
５１    連結板
５２    枢結軸
【図１】
0003202765.tif 000003
【図２】
0003202765.tif 000004
【図３】
0003202765.tif 000005
【図４】
0003202765.tif 000006
【図５】
0003202765.tif 000007
【図６】
0003202765.tif 000008